【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
被試験デバイスを試験する試験装置であって、
前記被試験デバイスの試験を制御するサイト制御装置と、
前記サイト制御装置および前記被試験デバイスに接続され、前記被試験デバイスの試験を行う複数の試験モジュールと
を備え、
前記サイト制御装置上で動作するサイト制御ソフトウェアは、
前記サイト制御装置から前記試験モジュール上に設けられた記憶領域をアクセスするために呼び出される通信ライブラリと、
各種の前記試験モジュールに共通するモジュールインターフェイスコマンドを発行する場合に呼び出される標準モジュールコマンドインターフェイスであって、前記通信ライブラリを介して前記試験モジュールと通信して前記モジュールインターフェイスコマンドに応じた前記試験モジュールに特有の制御を行うモジュール特有ソフトウェアによってインプリメントされる標準モジュールコマンドインターフェイスと
を有する
試験装置。
【請求項２】
前記サイト制御装置は、試験モジュールエミュレートプログラムを実行することにより、前記試験モジュールの動作をエミュレートする試験モジュールエミュレート部として更に機能するものであり、
前記サイト制御装置は、
前記被試験デバイスの実試験又は擬似試験のいずれを行うかの指示を入力し、
前記被試験デバイスの実試験を行う指示を受けた場合に、前記被試験デバイスの試験を行う試験プログラムを前記試験モジュールに供給して、前記試験モジュールにより前記被試験デバイスの試験を行わせ、前記被試験デバイスの擬似試験を行う指示を受けた場合に、前記試験プログラムを前記試験モジュールエミュレート部に供給して、前記試験モジュールエミュレート部により前記被試験デバイスの試験をシミュレートさせる
請求項１に記載の試験装置。
【請求項３】
前記通信ライブラリは、前記サイト制御装置上で実行されて、当該通信ライブラリを初期化する呼び出しに含まれる前記指示に基づいて、前記試験プログラムを前記試験モジュール及び前記試験モジュールエミュレート部のいずれに供給するかを前記サイト制御装置により判断させる
請求項２記載の試験装置。
【請求項４】
前記試験モジュールエミュレートプログラムを実行することにより実現される前記試験モジュールエミュレート部は、前記試験モジュールに設けられた記憶領域をエミュレートし、
前記通信ライブラリは、実試験において前記試験モジュール内の記憶領域をアクセスし、擬似試験において前記試験モジュールエミュレート部内の記憶領域をアクセスするために用いられるアクセス関数を含む
請求項２に記載の試験装置。
【請求項５】
前記サイト制御ソフトウェアは、前記サイト制御装置上で実行されることにより、擬似試験において複数の前記試験モジュールエミュレート部を動作させるスケジュールを制御するスケジュール制御部として機能するスケジュール制御モジュールを更に有し、
前記通信ライブラリは、擬似試験において試験信号生成タイミング及び結果信号取得タイミングを前記試験モジュールエミュレート部に通知するべく前記スケジュール制御部により呼び出される制御関数を更に有する
請求項２に記載の試験装置。
【請求項６】
試験信号を被試験デバイスに供給する試験モジュールを備える試験装置であって、
前記被試験デバイスの試験を制御する制御装置と、
サイクル周期に基づき試験信号を生成する試験モジュールと、
前記試験モジュールをエミュレートする試験モジュールエミュレート部と
を備え、
前記制御装置は、
前記被試験デバイスの実試験又は擬似試験のいずれを行うかの指示を入力し、
前記被試験デバイスの実試験を行う指示を受けた場合に、前記被試験デバイスの試験を行う試験プログラムを前記試験モジュールに供給して、前記試験モジュールにより前記被試験デバイスの試験を行わせ、前記被試験デバイスの擬似試験を行う指示を受けた場合に、前記試験プログラムを前記試験モジュールエミュレート部に供給して、前記試験モジュールエミュレート部により前記被試験デバイスの試験をシミュレートさせる
試験装置。
【請求項７】
前記制御装置は、当該制御装置と前記試験モジュールとの間の通信処理を行う通信ライブラリを実行し、
前記通信ライブラリは、前記制御装置と協働して、当該通信ライブラリを初期化する呼び出しに含まれる前記指示に基づいて、前記試験プログラムを前記試験モジュール及び前記試験モジュールエミュレート部のいずれに供給するかを判断する
請求項６記載の試験装置。
【請求項８】
前記被試験デバイスの試験を制御するサイト制御装置と、前記サイト制御装置および前記被試験デバイスに接続され、前記被試験デバイスの試験を行う複数の試験モジュールとを備え、被試験デバイスを試験する試験装置を制御するプログラムであって、
前記サイト制御装置から前記試験モジュール上に設けられた記憶領域をアクセスするために呼び出される通信ライブラリと、
各種の前記試験モジュールに共通するモジュールインターフェイスコマンドを発行する場合に呼び出される標準モジュールコマンドインターフェイスであって、前記通信ライブラリを介して前記試験モジュールと通信して前記モジュールインターフェイスコマンドに応じた前記試験モジュールに特有の制御を行うモジュール特有ソフトウェアによってインプリメントされる標準モジュールコマンドインターフェイスと
を備えるプログラム。
【請求項９】
前記被試験デバイスの試験を制御する制御装置と、サイクル周期に基づき試験信号を生成する試験モジュールと、前記試験モジュールをエミュレートする試験モジュールエミュレート部とを備える試験装置を制御するプログラムであって、
前記制御装置を、
前記被試験デバイスの実試験又は擬似試験のいずれを行うかの指示を入力する手段と、
前記被試験デバイスの実試験を行う指示を受けた場合に、前記被試験デバイスの試験を行う試験プログラムを前記試験モジュールに供給して、前記試験モジュールにより前記被試験デバイスの試験を行わせ、前記被試験デバイスの擬似試験を行う指示を受けた場合に、前記試験プログラムを前記試験モジュールエミュレート部に供給して、前記試験モジュールエミュレート部により前記被試験デバイスの試験をシミュレートさせる手段と
して機能させるプログラム。
【手続補正２】
【補正対象書類名】明細書
【補正対象項目名】０００６
【補正方法】変更
【補正の内容】
【０００６】
本発明の第１の形態によると、被試験デバイスを試験する試験装置であって、前記被試験デバイスの試験を制御するサイト制御装置と、前記サイト制御装置および前記被試験デバイスに接続され、前記被試験デバイスの試験を行う複数の試験モジュールとを備え、前記サイト制御装置上で動作するサイト制御ソフトウェアは、前記サイト制御装置から前記試験モジュール上に設けられた記憶領域をアクセスするために呼び出される通信ライブラリと、各種の前記試験モジュールに共通するモジュールインターフェイスコマンドを発行する場合に呼び出される標準モジュールコマンドインターフェイスであって、前記通信ライブラリを介して前記試験モジュールと通信して前記モジュールインターフェイスコマンドに応じた前記試験モジュールに特有の制御を行うモジュール特有ソフトウェアによってインプリメントされる標準モジュールコマンドインターフェイスとを有する試験装置を提供する。
【手続補正３】
【補正対象書類名】明細書
【補正対象項目名】０００７
【補正方法】変更
【補正の内容】
【０００７】
前記サイト制御装置は、試験モジュールエミュレートプログラムを実行することにより、前記試験モジュールの動作をエミュレートする試験モジュールエミュレート部として更に機能するものであり、前記サイト制御装置は、前記被試験デバイスの実試験又は擬似試験のいずれを行うかの指示を入力し、前記被試験デバイスの実試験を行う指示を受けた場合に、前記被試験デバイスの試験を行う試験プログラムを前記試験モジュールに供給して、前記試験モジュールにより前記被試験デバイスの試験を行わせ、前記被試験デバイスの擬似試験を行う指示を受けた場合に、前記試験プログラムを前記試験モジュールエミュレート部に供給して、前記試験モジュールエミュレート部により前記被試験デバイスの試験をシミュレートさせてもよい。
【手続補正４】
【補正対象書類名】明細書
【補正対象項目名】０００８
【補正方法】変更
【補正の内容】
【０００８】
前記通信ライブラリは、前記サイト制御装置上で実行されて、当該通信ライブラリを初期化する呼び出しに含まれる前記指示に基づいて、前記試験プログラムを前記試験モジュール及び前記試験モジュールエミュレート部のいずれに供給するかを前記サイト制御装置により判断させてもよい。
【手続補正５】
【補正対象書類名】明細書
【補正対象項目名】０００９
【補正方法】変更
【補正の内容】
【０００９】
前記試験モジュールエミュレートプログラムを実行することにより実現される前記試験モジュールエミュレート部は、前記試験モジュールに設けられた記憶領域をエミュレートし、前記通信ライブラリは、実試験において前記試験モジュール内の記憶領域をアクセスし、擬似試験において前記試験モジュールエミュレート部内の記憶領域をアクセスするために用いられるアクセス関数を含んでもよい。
【手続補正６】
【補正対象書類名】明細書
【補正対象項目名】００１０
【補正方法】変更
【補正の内容】
【００１０】
前記サイト制御ソフトウェアは、前記サイト制御装置上で実行されることにより、擬似試験において複数の前記試験モジュールエミュレート部を動作させるスケジュールを制御するスケジュール制御部として機能するスケジュール制御モジュールを更に有し、前記通信ライブラリは、擬似試験において試験信号生成タイミング及び結果信号取得タイミングを前記試験モジュールエミュレート部に通知するべく前記スケジュール制御部により呼び出される制御関数を更に有してもよい。
【手続補正７】
【補正対象書類名】明細書
【補正対象項目名】００１１
【補正方法】変更
【補正の内容】
【００１１】
本発明の第２の形態によると、試験信号を被試験デバイスに供給する試験モジュールを備える試験装置であって、前記被試験デバイスの試験を制御する制御装置と、サイクル周期に基づき試験信号を生成する試験モジュールと、前記試験モジュールをエミュレートする試験モジュールエミュレート部とを備え、前記制御装置は、前記被試験デバイスの実試験又は擬似試験のいずれを行うかの指示を入力し、前記被試験デバイスの実試験を行う指示を受けた場合に、前記被試験デバイスの試験を行う試験プログラムを前記試験モジュールに供給して、前記試験モジュールにより前記被試験デバイスの試験を行わせ、前記被試験デバイスの擬似試験を行う指示を受けた場合に、前記試験プログラムを前記試験モジュールエミュレート部に供給して、前記試験モジュールエミュレート部により前記被試験デバイスの試験をシミュレートさせてもよい。
【手続補正８】
【補正対象書類名】明細書
【補正対象項目名】００１２
【補正方法】変更
【補正の内容】
【００１２】
前記制御装置は、当該制御装置と前記試験モジュールとの間の通信処理を行う通信ライブラリを実行し、前記通信ライブラリは、前記制御装置と協働して、当該通信ライブラリを初期化する呼び出しに含まれる前記指示に基づいて、前記試験プログラムを前記試験モジュール及び前記試験モジュールエミュレート部のいずれに供給するかを判断してもよい。
【手続補正９】
【補正対象書類名】明細書
【補正対象項目名】００１３
【補正方法】変更
【補正の内容】
【００１３】
本発明の第３の形態によると、前記被試験デバイスの試験を制御するサイト制御装置と、前記サイト制御装置および前記被試験デバイスに接続され、前記被試験デバイスの試験を行う複数の試験モジュールとを備え、被試験デバイスを試験する試験装置を制御するプログラムであって、前記サイト制御装置から前記試験モジュール上に設けられた記憶領域をアクセスするために呼び出される通信ライブラリと、各種の前記試験モジュールに共通するモジュールインターフェイスコマンドを発行する場合に呼び出される標準モジュールコマンドインターフェイスであって、前記通信ライブラリを介して前記試験モジュールと通信して前記モジュールインターフェイスコマンドに応じた前記試験モジュールに特有の制御を行うモジュール特有ソフトウェアによってインプリメントされる標準モジュールコマンドインターフェイスとを備えるプログラムを提供する。
【手続補正１０】
【補正対象書類名】明細書
【補正対象項目名】００１４
【補正方法】変更
【補正の内容】
【００１４】
本発明の第４の形態によると、前記被試験デバイスの試験を制御する制御装置と、サイクル周期に基づき試験信号を生成する試験モジュールと、前記試験モジュールをエミュレートする試験モジュールエミュレート部とを備える試験装置を制御するプログラムであって、前記制御装置を、前記被試験デバイスの実試験又は擬似試験のいずれを行うかの指示を入力する手段と、前記被試験デバイスの実試験を行う指示を受けた場合に、前記被試験デバイスの試験を行う試験プログラムを前記試験モジュールに供給して、前記試験モジュールにより前記被試験デバイスの試験を行わせ、前記被試験デバイスの擬似試験を行う指示を受けた場合に、前記試験プログラムを前記試験モジュールエミュレート部に供給して、前記試験モジュールエミュレート部により前記被試験デバイスの試験をシミュレートさせる手段として機能させるプログラムを提供する。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】